(57)【要約】【課題】容器本体内に紙ナプキン束を丸めてコンパクトに収納し、食卓上に置いても違和感のない紙ナプキン容器を提供する。【解決手段】前後方向に長い角箱状に形成された容器本体１内に、多数枚の紙ナプキン２を上下に重ねて束ねたナプキン束３が収納されており、容器本体１の上面壁４に設けた取出口５から、ナプキン束３の紙ナプキン２が外側のものから順にホップアップ方式で引き出せる。容器本体１内の左右幅寸法は、束ねて四角形としたナプキン束３の左右幅寸法よりも小さく設定されており、ナプキン束３は、左右幅方向のほぼ中央部が前後方向にわたって上向き突曲する二つ折り状態で容器本体１内に収納する。容器本体１の底面壁６でナプキン束３を受け止めた状態において、ナプキン束３の上部が容器本体１の上面壁４に接触ないし近接対向している。【選択図】図１
2005178845.tif 000002
【特許請求の範囲】
【請求項１】
容器本体１内に、多数枚の紙ナプキン２を上下に重ねて束ねたナプキン束３が収納されており、
容器本体１に設けた取出口５から、ナプキン束３の紙ナプキン２がホップアップ方式で引き出せるようにした紙ナプキン容器において、
容器本体１内の左右幅寸法が、束ねて四角形としたナプキン束３の左右幅寸法よりも小さく設定されており、
ナプキン束３は、左右幅方向のほぼ中央部が前後方向にわたって二つ折り状態で容器本体１内に収納されており、
容器本体１の内底でナプキン束３を受け止めた状態において、ナプキン束３の上部が容器本体１の上面部分に接触ないし近接対向しており、
容器本体１の上面に設けた取出口５から、ナプキン束３の紙ナプキン２を外側のものから順に引き出せるようにしたことを特徴とする紙ナプキン容器。
【請求項２】
角箱状に形成された容器本体１内に、多数枚の紙ナプキン２を上下に重ねて束ねたナプキン束３が収納されており、
容器本体１に設けた取出口５から、ナプキン束３の紙ナプキン２がホップアップ方式で引き出せるようにした紙ナプキン容器において、
容器本体１内の左右幅寸法が、束ねて四角形としたナプキン束３の左右幅寸法よりも小さく設定されており、
ナプキン束３は、左右幅方向のほぼ中央部が前後方向にわたって上向き突曲する二つ折り状態で容器本体１内に収納されており、
容器本体１の底面壁６でナプキン束３を受け止めた状態において、ナプキン束３の上部が容器本体１の上面壁４に接触ないし近接対向しており、
容器本体１の上面壁４に設けた取出口５から、ナプキン束３の紙ナプキン２を外側のものから順に引き出せるようにしたことを特徴とする紙ナプキン容器。
【請求項３】
容器本体１内において、ナプキン束３の湾曲中央部３ａが、容器本体１の上面壁４とこれにつながる左右の一側壁７とが交わるコーナ部分に臨んでいる請求項１記載の紙ナプキン容器。
【請求項４】
容器本体１内に、多数枚の紙ナプキン２を上下に重ねて束ねたナプキン束３が収納されており、
容器本体１に設けた取出口５から、ナプキン束３の紙ナプキン２がホップアップ方式で引き出せるようにした紙ナプキン容器において、
容器本体１内の左右幅寸法が、束ねて四角形としたナプキン束３の左右幅寸法よりも小さく設定されており、
ナプキン束３は、左右幅方向のほぼ中央部が前後方向にわたって二つ折り状態で容器本体１内に収納されており、
容器本体１の内底でナプキン束３を受け止めた収納状態において、容器本体１の前面壁１２に設けた取出口５から、ナプキン束３の紙ナプキン２を内側のものから順に引き出せるようにしたことを特徴とする紙ナプキン容器。
【請求項５】
角箱状の容器本体１内において、ナプキン束３の湾曲中央部３ａが、容器本体１の底面壁６とこれにつながる左右の一側壁７とが交わるコーナ部分に臨んでいる請求項４記載の紙ナプキン容器。
【発明の詳細な説明】
【技術分野】
【０００１】
本発明は、容器本体内に、多数枚の紙ナプキンを重ねたナプキン束が収納されており、容器本体に設けた取出口から、ナプキン束の紙ナプキンをホップアップ方式で引き出せるようにした紙ナプキン容器であり、レストランの食卓に設置して好適なものである。
【背景技術】
【０００２】
この種の紙ナプキン容器の基本形態は、特許文献１〜３に公知であり、食卓上に置いておくだけで紙ナプキンを塵埃や湿気から守って清潔に保存しておくことができ、必要に応じて紙ナプキンを１枚ずつ取り出せて便利である。
【０００３】
【特許文献１】特開昭６２−７２９７０号公報（第５−８頁、第１図）
【特許文献２】特開平９−１３２２８０号公報（段落番号０００８、図２）
【特許文献３】特開２００２−１２０８８１号公報（段落番号００１２、図１）
【発明の開示】
【発明が解決しようとする課題】
【０００４】
しかし、特許文献１〜３は、容器本体内に紙ナプキン束を展開状態で収納する形態であるため、容器本体がナプキン束の平面形状に見合った大きさとなり、レストランの食卓上では見栄えが悪い。
【０００５】
そこで本発明の目的は、容器本体内に紙ナプキン束を丸めてコンパクトに収納し、食卓上に置いても違和感のない紙ナプキン容器を提供することにある。
【課題を解決するための手段】
【０００６】
本発明は、図１および図２に示す代表的な実施例を以て具体的に説明すると、前後方向に長い角箱状に形成された容器本体１内に、多数枚の紙ナプキン２を上下に重ねて束ねたナプキン束３が収納されており、容器本体１に設けた取出口５を介してナプキン束３の紙ナプキン２がホップアップ方式で引き出せるようにした紙ナプキン容器を対象とする。
【０００７】
かかる紙ナプキン容器において、本発明は、ナプキン束３が、左右幅方向のほぼ中央部を前後方向にわたって上向きに突曲する二つ折りにした状態で容器本体１内に収納されていること、容器本体１の底面壁６でナプキン束３を受け止めた状態において、ナプキン束３の上部が容器本体１の上面壁４に接触ないし近接対向していること、容器本体１の上面壁４に設けた取出口５から、ナプキン束３の紙ナプキン２を外側のものから順に引き出せるようにしたことを特徴とする。
【０００８】
更に具体的には、容器本体１内において、ナプキン束３の湾曲中央部３ａが、容器本体１の上面壁４とこれにつながる左右の一側壁７とが交わるコーナ部分に臨んでいる。
【０００９】
ここでの紙ナプキン２は、食事の際に口を拭うリップ用や、料理・皿敷き用のテーブルナプキン、それに膝敷き用ナプキン等を含む。紙ナプキンは２枚重ねで１枚物になっていてもよい。
【発明の効果】
【００１０】
請求項１記載の本発明によれば、内にナプキン束３を二つ折り状態に収納するので、容器本体１の左右幅寸法を約半分にコンパクト化できる。したがって、食卓の限られたスペースにも場所を採らずに体裁良く置いておける。さらに、ナプキン束３は容器本体１内に二つ折り状態で充満状に収納されているので、ガタつくこともない。
【００１１】
請求項２記載の本発明によれば、図１に示すごとく、容器本体１が角箱状に形成されているので、卓上に容器本体１が底面壁６を下にした横置きの安定姿勢で使用できる。
【００１２】
請求項３記載の本発明によれば、容器本体１内において、ナプキン束３の湾曲中央部３ａが、図１に示すごとく容器本体１の上面壁４とこれにつながる左右の一側壁７とが交わるコーナ部分に臨んでいるので、容器本体１の上面壁４の取出口５から、ナプキン束３の外側の紙ナプキン２から順に容易に取り出すことができる。
【００１３】
請求項４記載の本発明によれば、容器本体１の前面壁１２に取出口５を設けたので、ナプキン束３の紙ナプキン２は内側から順に引き出すことができ、必要に応じて容器本体１を縦長姿勢に立てた状態でも卓上にセットできる利点を有する。
【００１４】
請求項５記載の本発明によれば、角箱状の容器本体１内において、ナプキン束３の湾曲中央部３ａが、容器本体１の底面壁６とこれにつながる左右の一側壁７とが交わるコーナ部分に臨んでいるので、ナプキン束３の内側の紙ナプキン２から順に取り出しやすいものとなる。
【発明を実施するための最良の形態】
【００１５】
（第１実施例）  図１ないし図３は、本発明に係る紙ナプキン容器の第１実施例を示しており、前後方向に長い角箱状に形成された紙製の容器本体１内に、多数枚の紙ナプキン２を上下に重ねて束ねたナプキン束３が収納されており、容器本体１の上面壁４の中央に設けた取出口５から、ナプキン束３の各紙ナプキン２が１枚ずつホップアップ方式で順に引き出せるようになっている。図３は、各紙ナプキン２を１枚ずつ分離できるように連続させて束ねたナプキン束３を示す。
【００１６】
容器本体１の左右幅寸法は、束ねて四角形としたナプキン束３の左右幅寸法の略半分に設定されている。したがって、ナプキン束３は、左右幅方向の中央部が前後方向にわたって上向きに屈曲する略逆Ｕ字状の二つ折り状態で容器本体１内に密着状に収納される。
【００１７】
これにより、ナプキン束３は、容器本体１の底面壁６で受け止められた状態において、ナプキン束３の上端が容器本体１の上面壁４に接触ないし近接対向している。具体的には、容器本体１内において、ナプキン束３の湾曲中央部３ａが、図１に示すごとく容器本体１の上面壁４とこれにつながる左右の一側壁７とが交わるコーナ部分に臨んでいる。
【００１８】
容器本体１の上面壁４には、前後方向に長い長円形のミシン目９を環状に形成してあり、このミシン目９に沿って容器本体１の上面壁４を切り破ることにより、前記取出口５が形成される。なお、容器本体１の上面壁４の内面には、プラスチック製の透明フィルム１０を貼付してあり、この透明フィルム１０で取出口５を内側から防塵のために塞ぐ一方、該フィルム１０の取出口５に臨む部分に紙ナプキン２を１枚ずつ取り出すためのスリット１１が入っている。
【００１９】
使用当初には、容器本体１内には二つ折り状態に丸めたナプキン束３がほぼ充満状態で入っているので、取出口５を介してナプキン束３の最外側の上方に位置する紙ナプキン２を指先でつまんで引き出し、１枚ごとに分離して使用することができる。以後の各紙ナプキン２は、容器本体１内から連続的につながった状態で最後の１枚まで取り出せる。
【００２０】
かかる紙ナプキン容器によれば、容器本体１の左右幅寸法が、ナプキン束３の本来の有する左右幅寸法に比べてほぼ半分で済むため、卓上での載置スペースが小さくて足る。
【００２１】
（第２実施例）  図４および図５は、本発明に係る紙ナプキン容器の第２実施例を示しており、この場合の容器本体１は左右の側壁７・７および上面壁４が略円形状の断面を呈する前後方向に長いかまぼこ形状に形成されている。かくして、ナプキン束３は、左右方向中央部が上向きに突曲するよう二つ折り状態で丸めて容器本体１内に収容し、図５に示すごとく、ナプキン束３の下端側を底面壁６で受け止めている。その他の点は第一実施例と同じであるので、同じ部材には同じ符号を付してその説明を省略する。
【００２２】
（第３実施例）  図６は、請求項４〜６に対応する本発明の紙ナプキン容器の第３実施例を示しており、容器本体１の底面壁６でナプキン束３を受け止めた収納状態において、ナプキン束３の湾曲中央部３ａが、容器本体１の底面壁６とこれにつながる左右の一側壁７とが交わるコーナ部分に臨んでおり、容器本体１の前面壁１２に設けた取出口５から、ナプキン束３の紙ナプキン２を内側から順に１枚ずつ引き出せるようになっている。その他の点は第１実施例と実質的に同じであるから、同じ部材には同じ符号を付してその説明を省略する。
【００２３】
図６の第３実施例においては、後面壁１３を下にして卓上に上下縦長の姿勢で置く使用形態でもよい。この場合は、先の前面壁１２が上面壁となる。
【００２４】
図示例の容器本体１は、前後方向に長い角箱状、すなわち直方体としたが、六面が正方形の角箱状でもよい。
【図面の簡単な説明】
【００２５】
【図１】第１実施例の縦断正面図
【図２】第１実施例の斜視図
【図３】第１実施例のナプキン束の正面図
【図４】第２実施例の斜視図
【図５】第２実施例の縦断正面図
【図６】第３実施例の斜視図
【符号の説明】
【００２６】
１  容器本体
２  紙ナプキン
３  ナプキン束
４  容器本体の上面壁
５  取出口
６  容器本体の底面壁
７  容器本体の左右の側壁
【図１】
2005178845.tif 000003
【図２】
2005178845.tif 000004
【図３】
2005178845.tif 000005
【図４】
2005178845.tif 000006
【図５】
2005178845.tif 000007
【図６】
2005178845.tif 000008